(57)【要約】【課題】ＩＣタグを有する取付具であっても、ＩＣタグの再利用の頻度を向上させることができる取付具を提供することである。【解決手段】頭体１０と、該頭体１０と一体に成形された脚体２０とからなる取付具１であって、前記頭体１０の側面には、該頭体１０の内部１０ｆと連通する第１開口部１０ｄが形成されており、前記第１開口部１０ｄから前記内部１０ｆへＩＣタグ１２を嵌め込み可能となっている。【選択図】図１
2007333030.tif 000002
【特許請求の範囲】
【請求項１】
頭体と、該頭体と一体に成形された脚体とからなる取付具であって、
前記頭体の側面には、該頭体の内部と連通する第１開口部が形成されており、
前記第１開口部から前記内部へＩＣタグを嵌め込み可能となっている取付具。
【請求項２】
請求項１に記載の取付具であって、
前記脚体の外周面には、ネジ孔と螺合可能なネジ山が形成されている取付具。
【請求項３】
請求項２に記載の取付具であって、
前記頭体の表面には、締付け手段を嵌込み可能な溝部が形成されている取付具。
【請求項４】
請求項１に記載の取付具であって、
前記脚体は、一対の係止脚からなっており、
前記両係止脚の先端部には、互いに反対方向に向けて突出する係合爪が形成されている取付具。
【請求項５】
請求項１〜４のいずれかに記載の取付具であって、
前記頭体の内部の底面には、ＩＣタグを嵌め込み状態を保持する係止爪が形成されている取付具。
【請求項６】
請求項１〜５のいずれかに記載の取付具であって、
前記頭体の側面には、該頭体の内部と連通するとともに前記第１開口部と対向する第２開口部が形成されている取付具。
【発明の詳細な説明】
【技術分野】
【０００１】
本発明は、被取付部材に取り付け可能な取付具に関し、詳しくは、ＩＣタグを有する取付具に関する。
【背景技術】
【０００２】
この種の取付具として、例えば、特許文献１に記すボルトが知られている。このボルトの頭部には、ＩＣタグが埋め込まれている。そして、例えば、デジタル式のトルクレンチと組み合わせて使用することで、どのボルトをいつ何キロの力で締め付けたかというデータを一括管理することができる。なお、ＩＣタグのＩＣチップは、データの書き替えが可能となっている。そのため、使用済みボルトであっても、ＩＣチップのデータを書き換えることでボルトの再利用が可能となっている。
【特許文献１】特開２００６−９７８１３号公報
【発明の開示】
【発明が解決しようとする課題】
【０００３】
上述したＩＣタグを再利用するためにＩＣチップのデータを書き替えた場合でも、ＩＣタグはボルトの頭部に埋め込まれる格好でボルトと一体に成形されているため、ボルトのサイズが一致しなければＩＣタグを再利用することができなかった。そのため、ＩＣタグの再利用が可能であっても、ボルトのサイズが一致しないことにより、結局ＩＣタグを再利用することができないという問題が発生していた。
【０００４】
本発明は、このような課題を解決しようとするもので、その目的は、ＩＣタグを有する取付具であっても、取付具にＩＣタグを嵌め込み可能とすることでＩＣタグの再利用の頻度を向上させることができる取付具を提供することである。
【課題を解決するための手段】
【０００５】
本発明は、上記の目的を達成するためのものであって、以下のように構成されている。
請求項１に記載の発明は、頭体と、該頭体と一体に成形された脚体とからなる取付具であって、前記頭体の側面には、該頭体の内部と連通する第１開口部が形成されており、前記第１開口部から前記内部へＩＣタグを嵌め込み可能となっている。
この構成によれば、頭体の内部にＩＣタグを嵌め込みまたは取り外しができるため、例えば、取付具を再利用するとき、取付具のサイズと被取付部材とのが一致しない場合でも、取付具からＩＣタグを取り外して、被取付部材のサイズと一致する新たな取付具にＩＣタグを嵌め込むことができる。そのため、ＩＣタグの再利用の頻度を向上させることができる。
【０００６】
また、請求項２に記載の発明は、請求項１に記載の取付具であって、前記脚体の外周面には、ネジ孔と螺合可能なネジ山が形成されている。
この構成によれば、被取付部材に形成のネジ孔に対して取付具を螺合させることができるため、取付具を簡便に被取付部材に取り付けることができる。
【０００７】
また、請求項３に記載の発明は、請求項２に記載の取付具であって、前記頭体の表面には、締付け手段を嵌込み可能な溝部が形成されている。
この構成によれば、例えばコインの外周縁を溝部に嵌め込み、その嵌め込み状態でコインを廻すことで頭体を廻すことができる。これにより、螺合に大きなトルクが必要な場合であっても容易に螺合させることができる。
【０００８】
また、請求項４に記載の発明は、請求項１に記載の取付具であって、前記脚体は、一対の係止脚からなっており、前記両係止脚の先端部には、互いに反対方向に向けて突出する係合爪が形成されている。
この構成によれば、被取付部材に形成された孔がネジ孔ではなく単なる孔であっても、取付具を簡便に被取付部材に取り付けることができる。
【０００９】
また、請求項５に記載の発明は、請求項１〜４のいずれかに記載の取付具であって、前記頭体の内部の底面には、ＩＣタグを嵌め込み状態を保持する係止爪が形成されている。
この構成によれば、嵌め込んだＩＣタグが内部でガタつくことなく、また内部から脱落することの防止となる。
【００１０】
また、請求項６に記載の発明は、請求項１〜５のいずれかに記載の取付具であって、前記頭体の側面には、該頭体の内部と連通するとともに前記第１開口部と対向する第２開口部が形成されている。
この構成によれば、ＩＣタグを取り外す場合、棒部材によって第２開口部からＩＣタグの外周面を係止爪の方向へ押し込むことができる。これにより、ＩＣタグは係止爪を乗り越えて、第１開口部から取り出される。したがって、上板と下板との間隔を手で広げることなく簡便に内部からＩＣタグを取り外すことができる。
【発明を実施するための最良の形態】
【００１１】
以下、本発明を実施するための最良の形態を、図面を用いて説明する。
（実施例１）
まず、図１〜４によって実施例１を説明する。
図１は、実施例１の取付具１の全体斜視図である。図２は、取付具１の平面図である。図３は、取付具１の正面図である。図４は、取付具１の右側面図である。
【００１２】
はじめに、図１を参照して、取付具１の構成について説明する。取付具１は、頭体１０と脚体２０とに大別され構成されている。頭体１０は、四角板状の２枚の上板１０ａと下板１０ｂとが、それら３隅に形成されたリブ１０ｃを介して所定間隔を隔てるように形成されている。この所定間隔を隔てることで、上板１０ａと下板１０ｂとの間に内部１０ｆの空間が形成されている。なお、この所定間隔とは、後述するＩＣタグ１２の厚みに相当する間隔である。
【００１３】
また、上述した３隅とは、図２からも明らかなように、例えば、正面と左側面とによって構成される隅と、左側面と背面とによって構成される隅と、背面と右側面とによって構成される隅である。この場合、右側面と正面とによって構成される隅には、リブ１０ｃが形成されていないため、頭体１０の側面のうち、正面と右側面には連通する格好で大きな開口（以下、「第１開口部１０ｄ」と記す）が形成されることになる。これに対し、頭体１０の側面のうち、残りの左側面と背面には小さな開口（以下、「第２開口部１０ｅ」と記す）が４つ形成されることになる。このように、正面と右側面には第１開口部１０ｄが形成され、また左側面と背面には第２開口部１０ｅが形成されている。そのため、第１開口部１０ｄの向かいに第２開口部１０ｅが形成されていることになる。このことが、特許請求の範囲に記載の「第１開口部と対向するように第２開口部が形成されている」に相当する。
【００１４】
そして、この第１開口部１０ｄから内部１０ｆへＩＣタグ１２を嵌め込むことができる。もちろん、第２開口部１０ｅは、小さな開口であるため、第２開口部１０ｅから内部１０ｆへＩＣタグ１２を嵌め込むことができない。また、頭体１０の内部１０ｆの底面、すなわち頭体１０の下板１０ｂの上面において、右側面と正面とによって構成される隅には係止爪１０ｇが形成されている。
【００１５】
また、図１、３〜４からも明らかなように、頭体１０の下板１０ｂ下面の中央位置には、下方に向けて垂下する脚体２０が形成されている。この脚体２０の外周面には、被取付部材Ｍ１に形成のネジ孔と螺合可能なネジ山２１が形成されている。これにより、被取付部材Ｍ１に対して取付具１を螺合させることができるため、取付具１を簡便に被取付部材Ｍ１に取り付けることができる。なお、上述した頭体１０および脚体２０は、合成樹脂によって一体成形されている。
【００１６】
次に、ＩＣタグ１２を頭体１０の内部１０ｆへ嵌め込む構成について説明する。このＩＣタグ１２は、円板状に形成されており、その内部にアンテナとＩＣチップを有する公知のものである。そして、既に説明したように、第１開口部１０ｄから内部１０ｆへＩＣタグ１２を嵌め込んでいくと、ＩＣタグ１２の下面が係止爪１０ｇを押し下げていくため、上板１０ａと下板１０ｂとの間隔が広がる方向に撓んでいく。さらにＩＣタグ１２を嵌め込んでいき、ＩＣタグ１２が係止爪１０ｇを乗り越えると、ＩＣタグ１２の外周面がリブ１０ｃと当接する。また、このとき、上板１０ａと下板１０ｂとの撓みが解消されるため、ＩＣタグ１２の外周面は係止爪１０ｇの側面と当接して、ＩＣタグ１２は頭体１０の内部１０ｆへ嵌め込まれる。
【００１７】
このようにして、第１開口部１０ｄから内部１０ｆへＩＣタグ１２を嵌め込むと、内部１０ｆにおいて、ＩＣタグ１２の外周面はリブ１０ｃと係止爪１０ｇによって４隅方向から押し当てられる格好となる。これにより、この嵌め込み状態で、嵌め込んだＩＣタグ１２が内部１０ｆでガタつくことなく、また内部１０ｆから脱落することの防止となる。
【００１８】
また、この嵌め込み状態からＩＣタグ１２を取り外す場合、棒部材（図示しない）によって第２開口部１０ｅからＩＣタグ１２の外周面を係止爪１０ｇの方向へ押し込めばよい。すると、ＩＣタグ１２は係止爪１０ｇを乗り越えて、第１開口部１０ｄから取り出される。このように第２開口部１０ｅが形成されていると、上板１０ａと下板１０ｂとの間隔を手で広げることなく簡便に内部１０ｆからＩＣタグ１２を取り外すことができる。
【００１９】
上述した取付具１によれば、頭体１０の内部１０ｆにＩＣタグ１２を嵌め込みまたは取り外しができるため、例えば、取付具１を再利用するとき、取付具１のサイズと被取付部材Ｍ１とのが一致しない場合でも、取付具１からＩＣタグ１２を取り外して、被取付部材Ｍ１のサイズと一致する新たな取付具にＩＣタグ１２を嵌め込むことができる。また、このように嵌め込むことができるため、各種の取付具１にＩＣタグ１２を取り付ける際に２次的な加工（手間）を要することなく、ワンタッチで装着することができる。そのため、ＩＣタグ１２の再利用の頻度を向上させることができる。
【００２０】
（実施例２）
次に、図５〜８によって実施例２を説明する。
図５は、実施例２の取付具２の全体斜視図である。図６は、取付具２の平面図である。図７は、取付具２の正面図である。図８は、取付具２の右側面図である。
【００２１】
この実施例２の取付具２は、実施例１で説明した取付具１と比較すると、脚体３０の構成が相違するものである。なお、以下の説明にあたっては、実施例１と同一もしくは均等な部材の構成には、図面において同一符号を付すことで重複する説明は省略する。このことは、後述する実施例３以降でも同じである。
【００２２】
はじめに、取付具２の構成について説明する。取付具２は、頭体１０と脚体３０とに大別され構成されている。この頭体１０は、図５〜６からも明らかなように、実施例１で説明した頭体１０と同一の構成である。また、図７〜８に示すように、頭体１０の下板１０ｂの下面の中央位置には、下方に向けて垂下する脚体３０が形成されている。この脚体３０は、一対の係止脚３１からなっており、この両係止脚３１の先端部には、互いに反対方向に向けて突出する係合爪３１ａが形成されている。これら頭体１０および脚体３０は、合成樹脂によって一体成形されている。
【００２３】
次に、この脚体３０の作用について説明する。両係止脚３１を互いに近づく方向へ撓ませながら、被取付部材Ｍ２に形成の取付孔に挿入していく。そして、両係合爪３１ａが取付孔を通過すると、両係止脚３１の撓みが解除され両係合爪３１ａと被取付部材Ｍ２の裏面が係合する。これにより、被取付部材Ｍ２に対して取付具２を取り付けることができるため、取付具２を簡便に被取付部材Ｍ２に取り付けることができる。
【００２４】
上述した取付具２によれば、被取付部材Ｍ２に形成された孔がネジ孔ではなく単なる孔であっても、取付具２を簡便に被取付部材Ｍ２に取り付けることができる。また、取付具２の頭体１０の構成は実施例１で説明した取付具１の頭体１０の構成と同一であるため、頭体１０に関しては取付具１と同一の作用効果を得ることができる。
【００２５】
（実施例３）
次に、図９によって実施例３を説明する。
図９は、実施例３の取付具３の全体斜視図である。この取付具３は、図９からも明らかなように、実施例１で説明した取付具１の頭体１０の形状を四角形状のものから丸形状にしただけのものである。そのため、この取付具３は取付具１と同一の作用効果を得ることができる。なお、この取付具３の頭体１０の表面には、コイン（図示しない）の外周縁を垂直方向に嵌め込み可能となるように十字形状に切り欠かれたコイン廻し溝１０ｈが形成されている。
【００２６】
これにより、取付具１であれば頭体１０を手で廻してネジ孔と螺合させなければいけなかったが、この取付具３であれば頭体１０をコインで廻して螺合させることができる。そのため、例えば螺合に大きなトルクが必要な場合であっても容易に螺合させることができる。
【００２７】
（実施例４）
次に、図１０によって実施例４を説明する。
図１０は、実施例４の取付具４の全体斜視図である。この取付具４は、図１０からも明らかなように、実施例２で説明した取付具２の頭体１０の形状を四角形状のものから丸形状にしただけのものである。そのため、この取付具４は取付具２と同一の作用効果を得ることができる。
【００２８】
上述した内容は、あくまでも本発明の一実施の形態に関するものであって、本発明が上記内容に限定されることを意味するものではない。
実施例１、３では、取付具１の頭体１０の形状が四角形状および丸形状である場合を説明した。しかし、これに限定されるものでなく、三角形状、多角形状であっても構わない。また、このことは、実施例２、４でも同様である。
【００２９】
また、実施例１、３では、脚体２０の外周面には、ネジ山２１が形成されている場合を説明した。しかし、これに限定されるものでなく、ネジ山２１が形成されていない場合でも構わない。その場合には、脚体２０が被取付部材Ｍ１に差し込み易いように、脚体２０の先端部は先細り形状となっていることが好ましい。また、その場合には、被取付部材Ｍ１にネジ孔ではなく単なる孔でよい。
【００３０】
また、実施例１、３では、脚体２０は単なるネジであり、その断面を記載すると円形状となる場合を説明した。しかし、これに限定されるものでなく、脚体２０の外周面を縦方向に４箇所切り欠いたネジであり、その断面が十字形状となっても構わない。その場合、脚体２０に必要な合成樹脂の量を削減することができる。
【図面の簡単な説明】
【００３１】
【図１】図１は、実施例１の取付具１の全体斜視図である。
【図２】図２は、取付具１の平面図である。
【図３】図３は、取付具１の正面図である。
【図４】図４は、取付具１の右側面図である。
【図５】図５は、実施例２の取付具２の全体斜視図である。
【図６】図６は、取付具２の平面図である。
【図７】図７は、取付具２の正面図である。
【図８】図８は、取付具２の右側面図である。
【図９】図９は、実施例３の取付具３の全体斜視図である。
【図１０】図１０は、実施例４の取付具４の全体斜視図である。
【符号の説明】
【００３２】
１      取付具（実施例１）
２      取付具（実施例２）
３      取付具（実施例３）
４      取付具（実施例４）
１０    頭体
１０ａ  上板
１０ｂ  下板
１０ｃ  リブ
１０ｄ  第１開口部
１０ｅ  第２開口部
１０ｆ  内部
１０ｇ  係止爪
１０ｈ  コイン廻し溝
１２    ＩＣタグ
２０    脚体（実施例１、３）
２１    ネジ山
３０    脚体（実施例２、４）
３１    係止脚
３１ａ  係合爪
【図１】
2007333030.tif 000003
【図２】
2007333030.tif 000004
【図３】
2007333030.tif 000005
【図４】
2007333030.tif 000006
【図５】
2007333030.tif 000007
【図６】
2007333030.tif 000008
【図７】
2007333030.tif 000009
【図８】
2007333030.tif 000010
【図９】
2007333030.tif 000011
【図１０】
2007333030.tif 000012